(57)【要約】【課題】ベッド又は畳上の布団に横たわっている被介護者を介護者が車いすに容易に乗せることができるようにした安価な車いすを提供する。【解決手段】後部を開放した平面視略コ字状の基部１には車輪３を備えさせ、該基部１の前部１ｂには左右一対の支持杆５を上下方向に立設し、該支持杆には後部７ａを開放した平面視略コ字状の肘掛フレーム７と後部９ａを開放した平面視略コ字状の腰掛フレーム９とを該肘掛フレームが該腰掛フレームよりも上側に位置し、かつ、該肘掛フレームと該腰掛フレームとが各別に昇降自在になるように支持させ、該肘掛フレームの後部７ａには背もたれ１１を着脱自在に備えさせ、該腰掛フレームの後部９ａには座部１９を着脱自在に備えさせ、以て、被介護者を車いすの後側より前向きで車いすに乗せることができるようにしたことを特徴とする車いす。【選択図】図１
2015119918.tif 000002
【特許請求の範囲】
【請求項１】
後部を開放した平面視略コ字状の基部には車輪を備えさせ、該基部の前部には左右一対の支持杆を上下方向に立設し、該支持杆には後部を開放した平面視略コ字状の肘掛フレームと後部を開放した平面視略コ字状の腰掛フレームとを該肘掛フレームが該腰掛フレームよりも上側に位置し、かつ、該肘掛フレームと該腰掛フレームとが各別に昇降自在になるように支持させ、該肘掛フレームの後部には背もたれを着脱自在に備えさせ、該腰掛フレームの後部には座部を着脱自在に備えさせ、以て、被介護者を車いすの後側より前向きで車いすに乗せることができるようにしたことを特徴とする車いす。
【請求項２】
前記肘掛フレームと腰掛フレームとを昇降させるための手段として、前記基部の前部には肘掛フレーム用雄ねじ棒と腰掛フレーム用雄ねじ棒とを回転自在かつ上下動不能に立設し、該肘掛フレームには肘掛フレーム用雌ねじ体を取り付け、該腰掛フレームには腰掛フレーム用雌ねじ体を取り付け、該肘掛フレーム用雌ねじ体を該肘掛フレーム用雄ねじ棒に螺合させ、該腰掛フレーム用雌ねじ体を該腰掛フレーム用雄ねじ棒に螺合させ、以て、該肘掛フレーム用雄ねじ棒を回転させることにより該肘掛フレームを昇降させ、該腰掛フレーム用雄ねじ棒を回転させることにより該腰掛フレームを昇降させることができるようにしたことを特徴とする請求項１に記載の車いす。
【発明の詳細な説明】
【技術分野】
【０００１】
本発明は、車いすに関するものであり、特に、被介護者を車いすに乗降りさせる際の介護者の身体的負担を軽減させるようにした車いすに係るものである。
【背景技術】
【０００２】
車いすとしては、例えば実用新案登録第３０９６６０４号公報に示すように、座部と背もたれ部と肘掛け部とを備えたいす本体に車輪を取り付けてなるもの（以下「従来の車いす」という。）が従来より広く知られている。
【先行技術文献】
【特許文献】
【０００３】
【特許文献１】実用新案登録第３０９６６０４号公報
【発明の概要】
【発明が解決しようとする課題】
【０００４】
上記従来の車いすにおいては、ベッド又は畳上の布団に横たわっている被介護者を車いすに乗せる際には、介護者は、両腕で被介護者を抱き抱えた状態で被介護者の向きを車いすの方向に合わせて車いすに乗せ、又はスリングシート等の吊り上げ装置を利用して被介護者を車いすに乗せるという手法が採られている。
【０００５】
しかるに、ベッド又は畳上の布団に横たわっている被介護者を介護者が両腕で抱き抱えた状態で被介護者の向きを車いすの方向に合わせて車いすに乗せる作業は、介護者に大きな身体的負担を強いるものである。
【０００６】
また、スリングシート等の吊り上げ装置は高価であり、介護者に大きな経済的負担を強いるものである。
【０００７】
一方、介護者にこのような身体的負担又は経済的負担を強いることは、被介護者に大きな心理的負担を課すことになる。
【０００８】
本発明は、従来の車いすにおける上述の如き問題を解決し、ベッド又は畳上の布団に横たわっている被介護者を介護者が車いすに容易に乗せることができるようにした安価な車いすを提供しようとしてなされたものである。
【課題を解決するための手段】
【０００９】
上記課題を解決するために、本発明は、下記の車いすを提供する。
【００１０】
（１）後部を開放した平面視略コ字状の基部には車輪を備えさせ、該基部の前部には左右一対の支持杆を上下方向に立設し、該支持杆には後部を開放した平面視略コ字状の肘掛フレームと後部を開放した平面視略コ字状の腰掛フレームとを該肘掛フレームが該腰掛フレームよりも上側に位置し、かつ、該肘掛フレームと該腰掛フレームとが各別に昇降自在になるように支持させ、該肘掛フレームの後部には背もたれを着脱自在に備えさせ、該腰掛フレームの後部には座部を着脱自在に備えさせ、以て、被介護者を車いすの後側より前向きで車いすに乗せることができるようにしたことを特徴とする車いす（請求項１）。
【００１１】
（２）前記肘掛フレームと腰掛フレームとを昇降させるための手段として、前記基部の前部には肘掛フレーム用雄ねじ棒と腰掛フレーム用雄ねじ棒とを回転自在かつ上下動不能に立設し、該肘掛フレームには肘掛フレーム用雌ねじ体を取り付け、該腰掛フレームには腰掛フレーム用雌ねじ体を取り付け、該肘掛フレーム用雌ねじ体を該肘掛フレーム用雄ねじ棒に螺合させ、該腰掛フレーム用雌ねじ体を該腰掛フレーム用雄ねじ棒に螺合させ、以て、該肘掛フレーム用雄ねじ棒を回転させることにより該肘掛フレームを昇降させ、該腰掛フレーム用雄ねじ棒を回転させることにより該腰掛フレームを昇降させることができるようになす（請求項２）。
【発明の効果】
【００１２】
[請求項１の発明]
ベッドに横たわっている被介護者を本発明の車いすに乗せる際には、該被介護者の体格、状態等に応じて肘掛フレームと腰掛フレームとを昇降させると共に、肘掛フレームから背もたれを取り外し、腰掛フレームから座部を取り外す。この状態で車いすをベッドの近傍に位置させ、被介護者を車いすの後側より前向きで車いすの基部に移し、腰掛フレームに座部を取り付け、肘掛フレームに背もたれを取り付け、被介護者を該座部に座らせると共に該背もたれに背中をもたせかけるのである。図５、図６参照。
【００１３】
この場合、基部と腰掛フレームと肘掛フレームとは、それぞれ後部を開放した平面視略コ字状をなしているため、被介護者の状態により、車いすをベッドに跨がせた状態になすことにより、ベッドに横たわっている被介護者を床上に移すことなく、直接車いすに乗せることができる。
【００１４】
被介護者を車いすからベッドに戻す際には、車いすをベッドの近傍に位置させ、被介護者を支えつつ、肘掛フレームから背もたれを取り外し、腰掛フレームから座部を取り外し、被介護者をベッド上に移すのである。
【００１５】
この場合、基部と腰掛フレームと肘掛フレームとは、それぞれ後部を開放した平面視略コ字状をなしているため、被介護者の状態により、車いすをベッドに跨がせた状態になすことにより、被介護者を直接ベッドに戻すことができる。
【００１６】
畳上の布団に横たわっている被介護者を本発明の車いすに乗せる際には、該被介護者の体格、状態等に応じて肘掛フレームを昇降させて、該肘掛フレームから背もたれを取り外すと共に、腰掛フレームを最下位置まで下げる。この状態で車いすを布団の近傍に位置させ、被介護者を車いすの後側より前向きで車いすの基部に移して最下位置にある座部に座らせ、肘掛フレームに背もたれを取り付け、座部を備えた腰掛フレームを所定の高さまで上昇させ、該背もたれに被介護者の背中をもたせかけるのである。
【００１７】
この場合、基部は後部を開放した平面視略コ字状をなしているため、被介護者の状態により、車いすを布団に跨がせた状態になすことにより、畳上の布団に横たわっている被介護者を畳上に移すことなく、直接車いすに乗せることができる。
【００１８】
被介護者を車いすから畳上の布団に戻す際には、車いすを布団の近傍に位置させ、腰掛フレームを最下位置まで下げ、肘掛フレームから背もたれを取り外し、被介護者を布団に戻すのである。
【００１９】
この場合、基部は後部を開放した平面視略コ字状をなしているため、被介護者の状態により、車いすを布団に跨がせた状態になすことにより、被介護者を車いすから直接布団に戻すことができる。
【００２０】
以上述べたように、被介護者を車いすの後側より前向きで車いすに乗せることができるため、介護者は、ベッド又は畳上の布団に横たわっている被介護者を車いすに乗せる際に、被介護者を両腕で抱き抱えた状態で被介護者の向きを車いすの方向に合わせる必要がない。
【００２１】
畳上の布団に横たわっている被介護者を本発明の車いすに乗せる際には、肘掛フレームから背もたれを取り外すと共に、腰掛フレームを最下位置まで下げることにより、布団上の被介護者を最下位置にある座部上に前向き状態で移した後、該座部を備えた腰掛フレームを所定の高さまで上昇させることができる。すなわち、介護者は被介護者を高く抱き上げる必要がなく、被介護者を抱き上げてその向きを車いすの方向に合わせる必要もない。
【００２２】
また、基部は後部を開放した平面視略コ字状をなしているため、車いすに被介護者を乗せたまま、車いすを便器に跨がせた状態になし、被介護者に便器を使用させることも可能である。
【００２３】
したがって、介護者の身体的負担は著しく軽減される。その結果、被介護者の心理的負担も軽減される。
【００２４】
更に、本発明の車いすは構造が簡単であって安価に提供することができる。
【００２５】
[請求項２の発明]
肘掛フレーム用雄ねじ棒を回転させることにより肘掛フレームを昇降させ、腰掛フレーム用雄ねじ棒を回転させることにより腰掛フレームを昇降させることができるようにしたため、肘掛フレームと腰掛フレームとを昇降させる作業は極めて容易である。
【図面の簡単な説明】
【００２６】
【図１】図１は、本発明による車いすの一例を示す斜視図である。
【図２】図２は、同上車いすの側面図である。
【図３】図３は、背もたれの一例を示す正面図である。
【図４】図４は、座部の一例を示す正面図である。
【図５】図５は、同上車いすの使用状態の一例を示す斜視図である。
【図６】図６は、同上車いすの使用状態の一例を示す側面図である。
【発明を実施するための形態】
【００２７】
符号１に示すものは車いすの基部である。基部１は、後部を開放した平面視略コ字状をなし、車輪３を備えている。基部１には、好ましくは、被介護者が足を乗せるための足乗せ台（図示せず。）を例えば折り畳み自在に備えさせる。基部１の前部１ｂには左右一対の支持杆５、５を上下方向に立設する。符号５ａに示すものは支持杆５、５の上端を相互に連結する連結部である。
【００２８】
該支持杆５、５には、後部７ａを開放した平面視略コ字状の肘掛フレーム７と、後部９ａを開放した平面視略コ字状の腰掛フレーム９とを、該肘掛フレーム７が該腰掛フレーム９よりも上側に位置し、かつ、該肘掛フレーム７と該腰掛フレーム９とが各別に昇降自在になるように支持させる。
【００２９】
後部７ａを開放した平面視略コ字状の肘掛フレーム７は、前杆７ｂと一方の側杆７ｃと他方の側杆７ｄとよりなる。肘掛フレーム７を支持杆５、５に対し昇降自在となすために、肘掛フレーム７における前杆７ｂと一方の側杆７ｃとを連結環７ｅを介して連結し、肘掛フレーム７における前杆７ｂと他方の側杆７ｄとを連結環７ｆを介して連結し、該連結環７ｅ、７ｆをそれぞれ支持杆５、５に上下方向に摺動自在に嵌合する。
【００３０】
後部９ａを開放した平面視略コ字状の腰掛フレーム９は、前杆９ｂと一方の側杆９ｃと他方の側杆９ｄとよりなる。腰掛フレーム９を支持杆５、５に対し昇降自在となすために、腰掛フレーム９における前杆９ｂと一方の側杆９ｃとを連結環９ｅを介して連結し、腰掛フレーム９における前杆９ｂと他方の側杆９ｄとを連結環９ｆを介して連結し、該連結環９ｅ、９ｆをそれぞれ支持杆５、５に上下方向に摺動自在に嵌合する。
【００３１】
肘掛フレーム７の後部７ａには背もたれ１１を着脱自在に備えさせる。背もたれ１１を肘掛フレーム７の後部７ａに着脱自在に備えさせるために、図３に示す事例においては、背もたれ１１の一側縁を取付環１３を介して肘掛フレーム７の一方の側杆７ｃに回動自在に取り付け、該背もたれ１１の他側縁を係止具１５を介して肘掛フレーム７の他方の側杆７ｄに対し係脱自在となしている。符号１７に示すものは、肘掛フレーム７の各側杆７ｃ、７ｄに取り付けた柔軟材である。
【００３２】
腰掛フレーム９の後部９ａには座部１９を着脱自在に備えさせる。座部１９を腰掛フレーム９の後部９ａに着脱自在に備えさせるために、図４に示す事例においては、座部１９の一側縁を取付環２１を介して腰掛フレーム９の一方の側杆９ｃに回動自在に取り付け、該座部１９の他側縁を係止具２３を介して腰掛フレーム９の他方の側杆９ｄに対し係脱自在となしている。
【００３３】
以上により、被介護者を車いすの後側より前向きで車いすに乗せることができるようになす。
【００３４】
肘掛フレーム７と腰掛フレーム９とを昇降させるための手段の一例を下記に示す。
【００３５】
前記基部１の前部１ｂには肘掛フレーム用雄ねじ棒３１と腰掛フレーム用雄ねじ棒３３とを回転自在かつ上下動不能に立設する。該肘掛フレーム用雄ねじ棒３１と腰掛フレーム用雄ねじ棒３３とは、各支持杆５、５と平行に上下方向に配設する。符号３５、３７に示すものは肘掛フレーム用雄ねじ棒３１の軸受である。符号３９、４１に示すものは腰掛フレーム用雄ねじ棒３３の軸受である。
【００３６】
肘掛フレーム７には肘掛フレーム用雌ねじ体４３を取り付ける。すなわち、一例として、肘掛フレーム７の前杆７ｂに肘掛フレーム用雌ねじ体４３を取り付ける。該肘掛フレーム用雌ねじ体４３を該肘掛フレーム用雄ねじ棒３１に螺合させる。
【００３７】
腰掛フレーム９には腰掛フレーム用雌ねじ体４５を取り付ける。すなわち、一例として、腰掛フレーム９の前杆９ｂに腰掛フレーム用雌ねじ体４５を取り付ける。該腰掛フレーム用雌ねじ体４５を該腰掛フレーム用雄ねじ棒３３に螺合させる。
【００３８】
以て、肘掛フレーム用雄ねじ棒３１を回転させることにより該肘掛フレームを昇降させ、該腰掛フレーム用雄ねじ棒３３を回転させることにより該腰掛フレーム９を昇降させることができるようになす。図示の事例においては、ケース４７内に配設された電気モータ等（図示せず）により、肘掛フレーム用雄ねじ棒３１と腰掛フレーム用雄ねじ棒３３とを回転させるようにしているが、肘掛フレーム用雄ねじ棒３１と腰掛フレーム用雄ねじ棒３３とは、適宜のハンドル等を介して手動で回転させるようにしてもよい。
【００３９】
肘掛フレーム用雄ねじ棒３１を一定の方向に回転させたときには、該肘掛フレームは上昇し、該肘掛フレーム用雄ねじ棒３１を反対の方向に回転させたときには、該肘掛フレームは下降する。また、該腰掛フレーム用雄ねじ棒３３を一定の方向に回転させたときには、該腰掛フレーム９は上昇し、該腰掛フレーム用雄ねじ棒３３を反対の方向に回転させたときには、該腰掛フレーム９は下降する。
【００４０】
図２、図６における符号５１に示すものはベッドである。なお、肘掛フレーム７と腰掛フレーム９とを昇降させるための手段としては、上記手段の他、油圧装置を使用しても差し支えない。
【符号の説明】
【００４１】
１  基部
１ａ  後部
１ｂ  前部
３  車輪
５  支持杆
５ａ  連結部
７  肘掛フレーム
７ａ  後部
７ｂ  前杆
７ｃ  側杆
７ｄ  側杆
７ｅ  連結環
７ｆ  連結環
９  腰掛フレーム
９ａ  後部
９ｂ  前杆
９ｃ  側杆
９ｄ  側杆
９ｅ  連結環
９ｆ  連結環
１１  背もたれ
１３  取付環
１５  係止具
１７  柔軟材
１９  座部
２１  取付環
２３  係止具
３１  肘掛フレーム用雄ねじ棒
３３  腰掛フレーム用雄ねじ棒
３５  軸受
３７  軸受
３９  軸受
４１  軸受
４３  肘掛フレーム用雌ねじ体
４５  腰掛フレーム用雌ねじ体
４７  ケース
５１  ベッド
【図１】
2015119918.tif 000003
【図２】
2015119918.tif 000004
【図３】
2015119918.tif 000005
【図４】
2015119918.tif 000006
【図５】
2015119918.tif 000007
【図６】
2015119918.tif 000008